(57)【特許請求の範囲】
【請求項１】
光を放射する光源部と、
前記光源部が収容されたハウジングと、
前記光源部が裏面側に配置され、前記ハウジングの開口部を覆うように、前記ハウジングに溶着により接合固定された透光性カバーと
を備えた照明装置であって、
前記透光性カバーの上面側外周縁には、その外周端面に向かって前記透光性カバーの厚さが徐変して薄くなる傾斜部が形成され、
前記傾斜部は、前記ハウジングと前記透光性カバーとの接合部分と、前記光源部の光放射領域の少なくとも端部とを被覆し、
前記透光性カバーの外周端面の幅は０．５mm以上であり、
前記接合部分に対する前記傾斜部の傾斜角度は２０〜６０゜であり、
前記傾斜部の最大厚さは、前記接合部分の幅よりも大きく、５mmより小さく、
前記接合部分の幅は１．５〜３mmである、照明装置。
【請求項２】
前記透光性カバーにおける前記傾斜部の裏面側は平坦面である、
請求項１に記載の照明装置。
【請求項３】
前記透光性カバーにおける前記傾斜部の表面または裏面に形成された加飾層を備える、
請求項１または請求項２に記載の照明装置。
【請求項４】
前記ハウジングおよび前記透光性カバーは合成樹脂材料によって形成される、
請求項１〜３のいずれか一項に記載の照明装置。
【請求項５】
前記透光性カバーは、前記ハウジングにレーザー溶着により接合固定される、請求項１〜４のいずれか一項に記載の照明装置。
【発明の詳細な説明】
【技術分野】
【０００１】
本発明は照明装置に関するものである。
【背景技術】
【０００２】
特許文献１には、透明部材と、透明部材の裏面側に形成されたレーザー透過性の有色インク層と、透明部材の裏面側に有色インク層を介在して設けられ、透明部材を透過したレーザーによって有色インク層と隣接した位置において透明部材に溶着された有色の裏面部材とを有する加飾エンブレムが開示されている。
【０００３】
特許文献２には、バンパの奥行方向の空間部内へ取付けられ、前面レンズの周辺から背後に突出したフランジ部が、ランプハウジング周縁部の凹部内へ接合されている車両用ランプにおいて、前面レンズにおける凹部に対面するレンズ周辺部が後方に傾斜し、この傾斜角が、レンズ周辺部を包囲するバンパ空間壁面からの入射光を前方へ反射するように、バンパ空間壁面に対して臨界角を越えるように設定されている技術が開示されている。
【先行技術文献】
【特許文献】
【０００４】
【特許文献１】特許第５２０９９８５号公報
【特許文献２】実開平５−３２１１６号公報
【発明の概要】
【発明が解決しようとする課題】
【０００５】
特許文献１の技術では、有色インク層と同色あるいは近似色で裏面部材を形成すれば、透明部材を通して裏面部材が見えても、溶着部分と非溶着部分との見切りが目立たなくなり、透明部材が意匠面を構成する場合であっても外観を損ねることが無くなる。
しかし、特許文献１の技術では、光を放射する光源部を透明部材と裏面部材との間に配置した場合、透明部材の裏面側の有色インク層によって光源部の光放射領域の一部が覆われることになり、光放射領域の面積が減るため光放射効率が低下するという問題と、有色インク層と裏面部材とが目立ってしまうという問題とがある。
【０００６】
特許文献２の技術では、バンパ空間壁面からの入射光は、臨界角を越えた傾斜角のレンズ周辺部で前方へ全反射されるため、背後に位置したランプハウジング周縁部の凹部はバンパの着色光で隠され、レンズ周辺部の内部構造が透けて見えるのを防止できる。
しかし、特許文献２の技術を、奥行きが無い平面状のパネルに取り付けられるエンブレムに適用した場合には、特許文献２におけるバンパ空間壁面からの入射光に相当する入射光が得られないため、エンブレムの内部構造を隠すことはできない。
【０００７】
従来より、光を放射する光源部と、光源部が収容されたハウジングと、光源部が裏面側に配置されてハウジングの開口部を覆う透光性カバーとを備えた照明装置が広く使用されている。
この照明装置では、ハウジングと透光性カバーとの接合部分が、透光性カバーを通して外部から見えてしまうため、照明装置の意匠性が損なわれるという問題がある。
特に、ハウジングおよび透光性カバーに合成樹脂材料を用い、ハウジングと透光性カバーとの接合固定に溶着を用いた場合には、接合部分である溶着部分の見栄えが悪いため、意匠性が大きく損なわれる。
【０００８】
本発明は前記問題を解決するためになされたものであって、その目的は、ハウジングと透光性カバーとの接合部分を外部から見え難くすることが可能で意匠性に優れた照明装置を提供することにある。
【課題を解決するための手段】
【０００９】
本発明者らは前記課題を解決するために鋭意検討を重ねた結果、下記のように本発明の各局面に想到した。
【００１０】
＜第１の局面＞
第１の局面は、
光を放射する光源部と、
光源部が収容されたハウジングと、
光源部が裏面側に配置され、ハウジングの開口部を覆うように、ハウジングに接合固定された透光性カバーと
を備えた照明装置であって、
透光性カバーの上面側外周縁には、その外周端面に向かって透光性カバーの厚さが徐変して薄くなる傾斜部が形成され、
傾斜部は、ハウジングと透光性カバーとの接合部分と、光源部の光放射領域の少なくとも端部とを被覆する。
【００１１】
ここで、ハウジングと透光性カバーとの接合部分が、透光性カバーを通して外部から見えてしまうと、照明装置の意匠性が著しく損なわれる。
第１の局面では、透光性カバーの傾斜部がハウジングと透光性カバーとの接合部分を被覆するため、傾斜部での反射や屈折の作用により、照明装置の外部から透光性カバーを透して接合部分が見え難くなることから、意匠性を高めることができる。
【００１２】
また、第１の局面では、透光性カバーの傾斜部が光源部の発光領域の少なくとも端部を被覆するため、傾斜部での反射や屈折の作用により、光源部の発光領域の端部とハウジングの開口部との隙間部分が、照明装置の外部から透光性カバーを透して見え難くなることから、意匠性を高めることができる。
【００１３】
そして、第１の局面では、透光性カバーの傾斜部が、ハウジングと透光性カバーとの接合部分と、光源部の光放射領域の少なくとも端部とを被覆するため、傾斜部のレンズ作用により、傾斜部の被覆面積に対して接合部分が相対的に小さくなり、接合部分が目立ち難くなるため、前記作用・効果を確実に得られる。
【００１４】
＜第２の局面＞
第２の局面は、第１の局面において、透光性カバーにおける傾斜部の裏面側は平坦面である。
第２の局面では、傾斜部の裏面側での反射の作用により、照明装置の外部から透光性カバーを透して接合部分が見え難くなることから、第１の局面の前記作用・効果を更に高めることができる。
【００１５】
＜第３の局面＞
第３の局面は、第１の局面または第２の局面において、透光性カバーの外周端面の幅は０．５mm以上である。
第３の局面では、傾斜部全体の厚みが大きくなるため、傾斜部内の光路長も大きくなり、傾斜部での屈折の作用が確実に得られることから、第１の局面の前記作用・効果を更に高めることができる。
【００１６】
＜第４の局面＞
第４の局面は、第１〜第３の局面において、接合部分に対する傾斜部の傾斜角度は２０〜６０゜である。
第４の局面では、第１の局面の前記作用・効果を確実に得られる。
【００１７】
＜第５の局面＞
第５の局面は、第１〜第４の局面において、傾斜部の最大厚さは、接合部分の幅よりも大きく、５mmより小さい。
第５の局面では、傾斜部の最大厚さが接合部分の幅よりも大きいため、傾斜部での反射や屈折の作用が確実に得られることから、第１の局面の前記作用・効果を更に高めることができる。
また、第５の局面では、傾斜部の最大厚さが５mmより小さいため、ハウジングおよび透光性カバーを合成樹脂材料によって形成して溶着する場合に、接合部分の溶着が容易になる。
【００１８】
＜第６の局面＞
第６の局面は、第１〜第５の局面において、接合部分の幅は１．５〜３mmである。
第６の局面では、接合部分の接合強度を十分に高めた上で、接合部分が目立ち難くなるため、第１の局面の前記作用・効果を確実に得られる。
【００１９】
＜第７の局面＞
第７の局面は、第１〜第６の局面において、透光性カバーにおける傾斜部の表面または裏面に形成された加飾層を備える。
第７の局面では、加飾層により接合部が隠されて目立ち難くなるため、第１の局面の前記作用・効果を確実に得られる。
【００２０】
＜第８の局面＞
第８の局面は、第１〜第７の局面において、ハウジングおよび透光性カバーは合成樹脂材料によって形成され、接合部分は溶着されている。
第８の局面では、ハウジングと透光性カバーとを容易に接合固定することができる。
【図面の簡単な説明】
【００２１】
【図１】本発明を具体化した第１実施形態の照明装置１０の縦断面図。
【図２】図２（Ａ）は、本発明を具体化した第２実施形態の照明装置５０の縦断面図。図２（Ｂ）は、本発明を具体化した第３実施形態の照明装置６０の縦断面図。
【図３】本発明を具体化した第４実施形態の照明装置７０の縦断面図。
【図４】本発明を具体化した第５実施形態の照明装置８０の縦断面図。
【発明を実施するための形態】
【００２２】
以下、本発明を具体化した各実施形態について図面を参照しながら説明する。尚、各実施形態において、同一の構成部材および構成要素については符号を等しくすると共に、同一内容の箇所については重複説明を省略する。
また、各図面では、説明を分かり易くするために、各実施形態の構成部材の寸法形状および配置箇所を誇張して模式的に図示してあり、各構成部材の寸法形状および配置箇所が実物とは必ずしも一致しないことがある。
【００２３】
＜第１実施形態＞
図１に示すように、第１実施形態の照明装置１０は、ハウジング１１（開口部１１ａ、外周縁部１１ｂ）、透光性カバー１２（外周端面１２ａ、傾斜部１２ｂ、裏面１２ｃ）、光源部１３（光放射領域１３ａ、ＬＥＤ１４、導光体１５）、接合部分ＣＪなどを備え、自動車のイルミネーション付ガーニッシュやイルミネーション付オーナメントとして用いられる。
ちなみに、ガーニッシュとは、自動車に取付けられるエンブレムや自動車メーカーのロゴ等の装飾品全般を指すものである。
また、オーナメントとは、車名・仕様名・シンボルマークなどを表した自動車の装飾品を指すものである。
【００２４】
ハウジング１１は、上面側が開口された箱状であり、透光性または反射性を有する合成樹脂材料によって形成され、ハウジング１１の開口部１１ａの外周縁部（外周縁端面）１１ｂは平坦に形成されている。
透光性カバー１２は、略平板状であり、透光性の高い合成樹脂材料(例えば、ＰＭＭＡ（PolyMethylMethacrylate）、ＰＣ（PolyCarbonate）など）によって一体形成されている。
透光性カバー１２の上面側外周縁には、外周端面１２ａに向かって透光性カバー１２の厚さが徐変して薄くなる傾斜部１２ｂが形成されている。
透光性カバー１２において、傾斜部１２ｂの裏面１２ｃは平坦面に形成されている。
【００２５】
透光性カバー１２はハウジング１１の開口部１１ａを覆い、透光性カバー１２の外周縁裏面と、ハウジング１１の外周縁部１１ｂとが接合固定（結合固定）され、その接合部分ＣＪにより、ハウジング１１に対して透光性カバー１２が取付固定されている。
尚、ハウジング１１と透光性カバー１２との接合固定の方法は、良好な固定状態が得られるならば、どのような方法を用いてもよく、例えば、各種溶着法（レーザー溶着、超音波溶着、振動溶着、誘導溶着、高周波溶着、ヒーターを用いた熱溶着など）、接着材を用いた接着、両面粘着テープを用いた固定、ネジ止め、などを用いればよい。
これら接合固定の方法の中でも、レーザー溶着は、接合部分ＣＪの見栄えが良く、三次元形状に追従できるため最も適している。また、レーザー溶着には、操作性に優れたガルバノスキャナ型レーザー溶着装置を用いることが好ましい。
【００２６】
光源部１３は、ＬＥＤ（Light Emitting Diode）１４および導光体１５を備える面状光源であり、ハウジング１１内に収容されて取付固定され、透光性カバー１２の裏面側に配置されている。
導光体１５は略平板状であり、入射面１５ａ、反射面１５ｂ、出射面１５ｃを有し、平坦な出射面１５ｃは透光性カバー１２の裏面に対向して配置されている。
ＬＥＤ１４の放射光は、導光体１５の入射面１５ａに入射され、導光体１５内を導光されながら、導光体１５の反射面１５ｂによって反射され、導光体１５の出射面１５ｃから出射され、透光性カバー１２を透過して照明装置１０の外部へ放射される。
そのため、導光体１５の出射面１５ｃが、光源部１３の光放射領域１３ａになる。
尚、導光体１５の形状は、図１に示す例に限らず、どのような形状であってもよい。
【００２７】
［第１実施形態の作用・効果］
第１実施形態の照明装置１０によれば、以下の作用・効果を得ることができる。
【００２８】
［１］ハウジング１１と透光性カバー１２との接合部分ＣＪが、透光性カバー１２を通して外部から見えてしまうと、照明装置１０の意匠性が著しく損なわれる。
特に、ハウジング１１と透光性カバー１２との接合固定に溶着を用いた場合には、接合部分ＣＪである溶着部分の見栄えが悪いため、意匠性が大きく損なわれる。
そこで、照明装置１０では、透光性カバー１２の傾斜部１２ｂがハウジング１１と透光性カバー１２との接合部分ＣＪを被覆するため、傾斜部１２ｂでの反射や屈折の作用により、照明装置１０の外部から透光性カバー１２を透して接合部分ＣＪが見え難くなることから、意匠性を高めることができる。
【００２９】
また、照明装置１０では、透光性カバー１２の傾斜部１２ｂが光源部１３の発光領域の少なくとも端部を被覆するため、傾斜部１２ｂでの反射や屈折の作用により、光源部１３の発光領域の端部とハウジング１１の開口部１１ａとの隙間部分Ｓが、照明装置１０の外部から透光性カバー１２を透して見え難くなることから、意匠性を高めることができる。
【００３０】
そして、照明装置１０では、透光性カバー１２の傾斜部１２ｂが、ハウジング１１と透光性カバー１２との接合部分ＣＪと、光源部１３の光放射領域１３ａの少なくとも端部とを被覆するため、傾斜部１２ｂのレンズ作用により、傾斜部１２ｂの被覆面積に対して接合部分ＣＪが相対的に小さくなり、接合部分ＣＪが目立ち難くなるため、前記作用・効果を確実に得られる。
【００３１】
［２］透光性カバー１２における傾斜部１２ｂの裏面１２ｃは平坦面であるため、傾斜部１２ｂの裏面１２ｃでの反射の作用により、照明装置１０の外部から透光性カバー１２を透して接合部分ＣＪが見え難くなることから、前記［１］の作用・効果を更に高めることができる。
【００３２】
［３］透光性カバー１２の外周端面１２ａの幅ｐの範囲は、厚ければ厚いほど好ましく、０．５mm以上が適当であり、望ましくは１〜２mm、特に望ましくは３mm以上である。
外周端面１２ａの幅ｐをこの範囲にすれば、傾斜部１２ｂ全体の厚みが大きくなるため、傾斜部１２ｂ内の光路長も大きくなり、傾斜部１２ｂでの屈折の作用が確実に得られることから、前記［１］の作用・効果を更に高めることができる。
【００３３】
［４］接合部分ＣＪに対する傾斜部１２ｂの傾斜角度θの範囲は２０〜６０゜が適当であり、望ましくは３０〜６０゜、特に望ましくは４５〜６０゜である。
傾斜部１２ｂの傾斜角度θをこの範囲にすれば、前記［１］の作用・効果を確実に得られる。
【００３４】
［５］傾斜部１２ｂの最大厚さｔを接合部分ＣＪの幅ｄよりも大きくすれば、傾斜部１２ｂでの反射や屈折の作用が確実に得られることから、前記［１］の作用・効果を更に高めることができる。
【００３５】
また、傾斜部１２ｂの最大厚さｔの範囲は５mmより小さくするのが適当である。
傾斜部１２ｂの最大厚さｔをこの範囲にすれば、溶着を用いて接合部分ＣＪを形成する場合に、その溶着が容易になる。
【００３６】
［６］接合部分ＣＪの幅ｄの範囲は１．５〜３mmが適当である。
接合部分ＣＪの幅ｄをこの範囲にすれば、接合部分ＣＪの接合強度を十分に高めた上で、接合部分ＣＪが目立ち難くなるため、前記［１］の作用・効果を確実に得られる。
【００３７】
［７］ハウジング１１は透光性または反射性を有する合成樹脂材料によって形成されているため、接合部分ＣＪを構成するハウジング１１の外周縁部１１ｂが目立ち難いことから、前記［１］の作用・効果を確実に得られる。
【００３８】
＜第２実施形態＞
図２（Ａ）に示すように、第２実施形態の照明装置５０は、ハウジング１１（開口部１１ａ、外周縁部１１ｂ）、透光性カバー１２（外周端面１２ａ、傾斜部１２ｂ、裏面１２ｃ、加飾層１２ｄ）、光源部１３（光放射領域１３ａ、ＬＥＤ１４、導光体１５）、接合部分ＣＪなどを備える。
【００３９】
第２実施形態の照明装置５０において、第１実施形態の照明装置１０と異なるのは、透光性カバー１２における傾斜部１２ｂの表面に形成された加飾層１２ｄを備える点である。
照明装置５０では、加飾層１２ｄにより接合部ＣＪが隠されて目立ち難くなるため、前記［１］の作用・効果を確実に得られる。
【００４０】
＜第３実施形態＞
図２（Ｂ）に示すように、第３実施形態の照明装置６０は、ハウジング１１（開口部１１ａ、外周縁部１１ｂ）、透光性カバー１２（外周端面１２ａ、傾斜部１２ｂ、裏面１２ｃ、加飾層１２ｅ）、光源部１３（光放射領域１３ａ、ＬＥＤ１４、導光体１５）、接合部分ＣＪなどを備える。
【００４１】
第３実施形態の照明装置６０において、第１実施形態の照明装置１０と異なるのは、透光性カバー１２の裏面全体に形成された加飾層１２ｅを備える点である。
照明装置６０では、加飾層１２ｅにより接合部ＣＪが隠されて目立ち難くなるため、前記［１］の作用・効果を確実に得られる。
ここで、加飾層１２ｅは、透光性カバー１２の裏面全体に形成することに限らず、傾斜部１２ｂの裏面１２ｃだけに形成してもよい。
【００４２】
尚、加飾層１２ｄ，１２ｅは、装飾性を有すると共に接合部ＣＪを隠すことが可能であれば、どのような層によって形成してもよく、例えば、光反射性の高い金属のメッキ層（銀鏡反応による銀メッキ層など）またはＰＶＤ（Physical Vapor Deposition）層などの反射層、ハーフミラー層、フィルム層、塗膜層などを用いればよい。
また、加飾層１２ｄ，１２ｅを光透過性にすることで、光源部１３の放射光を透過可能になるため、光放射効率の低下を防止できる。
【００４３】
＜第４実施形態＞
図３に示すように、第４実施形態の照明装置７０は、ハウジング１１（開口部１１ａ、外周縁部１１ｂ）、透光性カバー１２（外周端面１２ａ、傾斜部１２ｂ、裏面１２ｃ）、光源部７１（光放射領域７１ａ、リフレクタ７２、ＬＥＤ１４）、接合部分ＣＪなどを備える。
【００４４】
第４実施形態の照明装置７０において、第１実施形態の照明装置１０と異なるのは、光源部１３が光源部７１に置き換えられている点である。
光源部７１は、ＬＥＤ１４およびリフレクタ７２を備え、ハウジング１１内に収容されて取付固定され、透光性カバー１２の裏面側に配置されている。
リフレクタ７２は凹面鏡であり、透光性カバー１２の裏面に対向配置され、リフレクタ７２の中央部にはＬＥＤ１４が配置されている。
【００４５】
ＬＥＤ１４の放射光は、リフレクタ７２によって反射され、透光性カバー１２を透過して照明装置１０の外部へ放射される。
そのため、リフレクタ７２を平面視した領域が、光源部７１の光放射領域７１ａになる。
尚、リフレクタ７２の形状は、図３に示す例に限らず、どのような形状であってもよい。
従って、第４実施形態の照明装置７０においても、第１実施形態の照明装置１０と同様の作用・効果が得られる。
【００４６】
加えて、第４実施形態では、透光性カバー１２の傾斜部１２ｂがリフレクタ７２の端部を被覆するため、傾斜部１２ｂでの反射や屈折の作用により、リフレクタ７２の端部とハウジング１１の開口部１１ａとの隙間部分Ｕが、照明装置７０の外部から透光性カバー１２を透して見え難くなることから、意匠性を高めることができる。
【００４７】
＜第５実施形態＞
図４に示すように、第５実施形態の照明装置８０は、ハウジング１１（開口部１１ａ、外周縁部１１ｂ）、透光性カバー１２（外周端面１２ａ、傾斜部１２ｂ、裏面１２ｃ）、光源部１３（光放射領域１３ａ、ＬＥＤ１４、導光体１５）、接合部分ＣＪなどを備える。
【００４８】
第５実施形態の照明装置８０において、第１実施形態の照明装置１０と異なるのは、透光性カバー１２の傾斜部１２ｂが、ハウジング１１と透光性カバー１２との接合部分ＣＪと、光源部１３の光放射領域１３ａの少なくとも端部とを被覆することに加えて、ＬＥＤ１４の発光面１４ａおよび導光体１５の入射面１５ａをも被覆している点である。
従って、第５実施形態の照明装置８０においても、第１実施形態の照明装置１０と同様の作用・効果が得られる。
【００４９】
ところで、第１実施形態では、ＬＥＤ１４の発光面１４ａおよび導光体１５の入射面１５ａならびに各面１４ａ，１５ａの隙間Ｗが、透光性カバー１２を通して外部から見えてしまうと、照明装置１０の意匠性が著しく損なわれる。
それに対して、第５実施形態では、透光性カバー１２の傾斜部１２ｂが、ＬＥＤ１４の発光面１４ａおよび導光体１５の入射面１５ａを被覆するため、傾斜部１２ｂでの反射や屈折の作用により、照明装置８０の外部から透光性カバー１２を透して前記各面１４ａ，１５ａおよびその隙間Ｗが見え難くなることから、意匠性を更に高めることができる。
【００５０】
＜別の実施形態＞
本発明は前記各実施形態に限定されるものではなく、以下のように具体化してもよく、その場合でも、前記各実施形態と同等もしくはそれ以上の作用・効果を得ることができる。
【００５１】
［Ａ］第１〜第３実施形態の照明装置１０，５０，６０の光源部１３は導光体１５を備え、第４実施形態の照明装置７０の光源部７１はリフレクタ７２を備えるが、導光体やリフレクタを省き、光源部がＬＥＤ１４のみを備えるようにしてもよい。
また、前記各実施形態は１個のＬＥＤ１４のみを備えるが、複数個のＬＥＤ１４を備えるようにしてもよい。
【００５２】
［Ｂ］ＬＥＤ１４は、どのような発光部材（例えば、ＥＬ（Electro Luminescence）素子などの半導体発光素子、電球など）に置き換えてもよい。
【００５３】
［Ｃ］前記各実施形態の照明装置は自動車のイルミネーション付ガーニッシュやイルミネーション付オーナメントに適用したものであるが、本発明の照明装置は、車両用に限らず、どのような物品（例えば、電気製品、家具など）の照明に適用してもよく、その場合には、透光性カバー１２を当該物品の外装部材に置き換えればよい。
【００５４】
［Ｄ］前記各実施形態を適宜組み合わせて実施してもよく、その場合には組み合わせた実施形態の作用・効果を合わせもたせたり、相乗効果を得ることができる。
【００５５】
本発明は、前記各局面および前記各実施形態の説明に何ら限定されるものではない。特許請求の範囲の記載を逸脱せず、当業者が容易に想到できる範囲で種々の変形態様も本発明に含まれる。本明細書の中で明示した公報などの内容は、その全ての内容を援用によって引用することとする。
【符号の説明】
【００５６】
１０，５０，６０，７０，８０…照明装置
１１…ハウジング
１１ａ…開口部
１１ｂ…外周縁部
１２…透光性カバー
１２ａ…外周端面
１２ｂ…傾斜部
１２ｃ…裏面
１２ｄ，１２ｅ…加飾層
１３，７１…光源部
１３ａ，７１ａ…光放射領域
１４…ＬＥＤ
１５…導光体
７２…リフレクタ
ＣＪ…接合部分
ｐ…透光性カバー１２の外周端面１２ａの幅
θ…傾斜部１２ｂの傾斜角度
ｔ…傾斜部１２ｂの最大厚さ
ｄ…接合部分ＣＪの幅
【図１】
0006274438.tif 000002
【図２】
0006274438.tif 000003
【図３】
0006274438.tif 000004
【図４】
0006274438.tif 000005